(57)【要約】      （修正有）【課題】ヒト皮膚表面の発汗量が連続測定できる非常に小型の発汗量測定装置を提供する。【解決手段】身体に装着する発汗量測定装置であり、汗を捕集する肌に接した部分と、湿度による発汗の検知部と、送風機能部と、通信機能部とを有し、肌に接した部分は渦巻き状溝を有し、渦巻き状溝の一端は送風機能部に連通し、他端は検知部に連通し、発汗は送風機能部２、３からの送風により気化して水蒸気を含む気流となり、検知部４に至り、検知部での検知結果は通信機能部１により情報端末に送信される。【選択図】図１
0003208401.tif 000002
【実用新案登録請求の範囲】
【請求項１】
身体に装着する発汗量測定装置であり、湿度による発汗の検知部と、送風機能部と、電気配線および電源部と、通信機能部と、汗を捕集する肌に接した空間から成ることを特徴とする発汗量測定装置。
【請求項２】
請求項１の身体に装着する発汗量測定装置であり、送風管中に乾燥剤を封入することを特徴とする湿度による発汗の検知部と、送風機能部と、電気配線および電源部と、通信機能部と、汗を捕集する肌に接した空間から成ることを特徴とする発汗量測定装置。
【考案の詳細な説明】
【技術分野】
【０００１】  本考案は、ウェアラブル測定センサーの要望が現代は高まって来ている。現在市販されているウェアラブルで体の情報を習得するセンサー類は、血流の流れによる脈拍、歩数・距離・カロリー・睡眠などの活動慮計であり、身体の情報をとらえヒトの健康管理に用いるには限られた機能しか有していない。まだ血圧や血糖に関する情報端末に用いるセンサーは開発されていない。すなわちウェアラブルに適用しているセンサー類がまだ限られている現状がある。時代要請として、身体情報が得られるセンサーの必要性が非常に高まっている。
現在ウエラブルセンサーの要求といった確かなニーズがある。そのニーズに応える製品を開発するうえで、体の情報として発汗測定を主体とした技術が、ウェアラブルの要望に答える一つの技術になると考えられる。発汗は、ヒトの体の異常時に変化し、痛みに対応し、嚥下などの素動作に対応する。すなわち発汗の連続的な測定は、体の異常が生じたときの警告を発する手段となりうる。
【背景技術】
【０００２】  従来、ウェアラブルセンサーの要求といった確かなニーズがあるもののその実用化は未だない。
特許第４３８９５１２号（特許文献１）として腕時計型会話補助装置が提案されているが、この提案は時刻を表示する時計と状態表示部と情報処理部とを有する本体と、上記本体に接続されたバンドと、上記バンドの内側の面に取り付けられた発汗センサー、脈拍センサーおよび血流センサーとを有し、使用者が手首に装着した状態において、上記発汗センサー、上記脈拍センサーおよび上記血流センサーが手首の手の平に連なる側の表面に接触または近接するように構成され、上記発汗センサー、上記脈拍センサーおよび上記血流センサーによりそれぞれ発汗、脈拍および血流を測定し、それによって上記使用者の感情の変化を測定し、その測定結果に基づいて上記情報処理部で処理した結果を上記状態表示部に表示し、この表示に基づいて上記使用者による他者との会話を円滑に行うための腕時計型会話補助装置であり、その情報処理が健康に関するものとなっていないものである。
貼り付けるタイプのマイクロ発汗計や、小型の発汗計の提案はあるが、肌に接する面積が１平方センチと大きい点や、肌に間欠的に送風して湿度を記録することができる点や、小型ながら、ポンプ送風を用いていることなどがないため、機能的には改良すべき点が多い。
【先行技術文献】
【特許文献】
【０００３】
【特許文献１】特許第４３８９５１２号公報
【考案の概要】
【考案が解決しようとする課題】
【０００４】  ウェアラブル測定センサーの要望が現代は高まって来ているが、現在市販されているウェアラブルで体の情報を習得するセンサー類は、血流の流れによる脈拍、歩数・距離・カロリー・睡眠などの活動慮計であり、身体の情報をとらえヒトの健康管理に用いるには限られた機能しか有していない。まだ血圧や血糖に関する情報端末に用いるセンサーは開発されていない。すなわちウェアラブルに適用しているセンサー類がまだ限られている現状がある。時代要請として、身体情報が得られるセンサーの必要性が非常に高まっている。これらを解決することが本考案の課題である。
【課題を解決するための手段】
【０００５】  本考案は、ヒト皮膚表面の発汗量の連続測定できる非常に小型な発汗量測定装置に関するものであり、発汗量測定装置の基本構成は、湿度による発汗の検知部と、送風機能部と、電気配線および電源部と、通信機能部から成ることを特徴とする発汗量測定装置である。
発汗量を測定して、身体の動作、精神の動揺、身体の異常の信号として用いるものである。
【考案の効果】
【０００６】  以上説明から明らかなように本考案は、体の情報として発汗測定を主体とした技術が、ウェアラブルの要望に答える一つの技術になると考えられる。発汗は、ヒトの体の異常時に変化し、痛みに対応し、嚥下などの素動作に対応する。すなわち発汗の連続的な測定は、体の異常が生じたときの警告を発する手段となりうる。すなわち肌に接する面積が１平方センチと大きいことや、肌に間欠的に送風して湿度を記録することや、小型ながら、ポンプ送風を用いていることなどその利用価値は大きい。
【図面の簡単な説明】
【０００７】
【図１】本考案による構成図である。
【図２】本考案による図Ｉの反対側の構成図である、
【図３】本考案のポンプ送風管出口側と出口端に乾燥剤を用いた構造を示す使用状態の概略図である。
【図４】本考案による肌に接し発汗を捕集する概略図である。
【図５】本考案の装置の上部イメージを示した概略図である。
【図６】本考案の完成イメージを示した使用状態図である。
【図７】ウェアラブル発汗計の実施例
【０００８】  図中の番号
１．無線通信部
２．ポンプ及びポンプ駆動電気部
３．送風管
３−１．送風管出口側
３−２．送風管出口近傍に挿入された乾燥剤
４．湿度センサー
５．電池配線
５−１  電池
６．湿度センサーへの配線
７．湿度センサーへの入り口
８．送付管出口
９．渦巻き状溝による発汗捕集通路
【考案を実施するための形態】
【０００９】  以下、本考案の実施の形態を図に基づいて説明する。
【実施例】
【００１０】  実施例を図面に従って説明すると、図１及び図２は装置の基本構成を示している。これまでに発汗に関する研究と装置の製作を長年実施してきている。発汗量の測定や発汗観察から、発汗は人の精神の動揺をよく反映し、体の不調を知らせる手段となりうる知見を得た。また一般に発汗量は、送風量×湿度×温度測定から計算する。本考案では、湿度センサーを用いる方法をウエラブルの可能性を有する装置として完成させる。
これまでに、発汗量測定装置や発汗観察装置を製作してきたが、３００×８０×３００ｍｍ程度の装置で、ウェアラブル装置でない。機能を凝縮した非常に小型化した装置であり、本考案は約３０ｍｍ×４０ｍｍ×２０ｍｍの非常に小型の約２５グラムの軽いウエラブル発汗計であり、現在世界的な要求となっているウェアラブル商品に将来搭載できる将来性を持った製品を完成させるものであり、新たなユーザを開発できるものである。【００１１】  その構成は発汗量測定装置であり、湿度による発汗の検知部と、送風機能部と、電気配線および電源部と、通信機能部から成ることを特徴とする発汗量測定装置である。概略図を図１及び図２に示した。【００１２】  図６は、本考案の完成イメージを示した使用状態図であり、図３は、本考案のポンプ送風の構造を示す使用状態の概略図である。送風管出口近傍に乾燥剤を挿入している。この乾燥剤は図４の８から挿入できる。
腕に巻くことができる湿度センサーを内蔵したバンド形状は樹脂帯で製作されており、発汗量や発汗の時間変化などがウェアラブルに計測できる発汗量測定装置の部品類により構成され、腕に巻くバンドにセンサー、マイコン、送信部分、記録計を搭載したものである。【００１３】  腕に巻くことができる湿度センサーを内蔵したバンド形状の樹脂帯とし、発汗量や発汗の時間変化などがウェアラブルに計測できる発汗量測定装置の部品類は、腕に巻くバンドを作成し、それにセンサー、送風部、マイコン、送信部を搭載したものである。送信された情報は情報端末に受信され、例えば小型プリンターで受信するための記録計にそれらを無線で接続されており、この構成は図１に示すとおりである。【００１４】  肌に接する部分の形状の一例を図４に示した。渦巻き状の溝で構成され、この溝の面積は１平方センチメートル以上あり、この中をポンプにより送風された気流が８より排出され、溝を通過し、９により湿度センサーに向かっていく。例えば、手首に装着したとき拍出した発汗は送風により気化し、水蒸気を含む気流となり湿度センサーに至る。渦巻き状の溝により、気流が再現性良く、また効率よく汗を捕集し水蒸気として運ぶことできる。渦巻き状の溝は優れた形状効果を持っている。【００１５】  本考案のウエラブル発汗計を手首に装着し、送信により得られた結果の一例を図７に示した。図７ではウエアラブル発汗計を机の上に置いたときは応答がなく、手首に装着したときは発汗量を明瞭に示している。この時の送風ポンプの稼働は１５秒稼働次いで６０秒停止を繰り返すように命令されている。すなわち６０秒間に拍出した発汗量を記録している。【００１６】  この記録から身体の異常時には発汗量は多量になるので、この異常を検知することにより、本ウエアラブル装置が見守り装置として稼働できる。【００１７】  また本考案装置を腹部や胸にも装着できる。これにより、睡眠時の異常な発汗を検知するできる。
【産業上の利用可能性】
【００１８】  本考案は、皮膚ガスを用いたセンシング装置を製造する産業で利用される。
【図１】
0003208401.tif 000003
【図２】
0003208401.tif 000004
【図３】
0003208401.tif 000005
【図４】
0003208401.tif 000006
【図５】
0003208401.tif 000007
【図６】
0003208401.tif 000008
【図７】
0003208401.tif 000009
【手続補正書】
【提出日】平成28年7月19日(2016.7.19)
【手続補正１】
【補正対象書類名】実用新案登録請求の範囲
【補正対象項目名】全文
【補正方法】変更
【補正の内容】
【実用新案登録請求の範囲】
【請求項１】
身体に装着する発汗量測定装置であり、身体の発汗から測定までの機能部の順に、汗を捕集する肌に接した渦巻き状溝による発汗捕集通路につながる空間から発汗を捕集し、この発汗を送風による気化した水蒸気を含む気流である湿度による発汗の検知部と、送風機能部と、電気配線および電源部と、通信機能部とで成るものであり、検知部は湿度センサーにより構成され、送風機能部はポンプにより送風管中に送風されるものであり、通信機能部はマイコンにより無線通信でおこなうものであり、該情報は小型プリンターと連動する情報端末へ送信されるものであり、これらは電気配線により電源により作動することを特徴とする発汗量測定装置。
【請求項２】
請求項１の身体に装着する発汗量測定装置であり、送風管中に乾燥剤を封入することを特徴とする発汗量測定装置。
【手続補正２】
【補正対象書類名】明細書
【補正対象項目名】０００５
【補正方法】変更
【補正の内容】
【考案の詳細な説明】
【０００５】
本考案は、ヒト皮膚表面の発汗量の連続測定できる非常に小型な発汗量測定装置に関するものであり、発汗量測定装置の基本構成は、湿度による発汗の検知部と、送風機能部と、電気配線および電源部と、通信機能部から成ることを特徴とする発汗量測定装置である。
発汗量を測定して、身体の動作、精神の動揺、身体の異常の信号として用いるものであり、身体に装着する発汗量測定装置であり、身体の発汗から測定までの機能部の順に、汗を捕集する肌に接した渦巻き状溝による発汗捕集通路につながる空間から発汗を捕集し、この発汗を送風による気化した水蒸気を含む気流である湿度による発汗の検知部と、送風機能部と、電気配線および電源部と、通信機能部とで成るものであり、検知部は湿度センサーにより構成され、送風機能部はポンプにより送風管中に送風されるものであり、通信機能部はマイコンにより無線通信でおこなうものであり、該情報は小型プリンターと連動する情報端末へ送信されるものであり、これらは電気配線により電源により作動することを特徴とする発汗量測定装置である。
【手続補正３】
【補正対象書類名】明細書
【補正対象項目名】００１１
【補正方法】変更
【補正の内容】
【考案の詳細な説明】
【００１１】
その構成は発汗量測定装置であり、湿度による発汗の検知部と、送風機能部と、電気配線および電源部と、通信機能部から成ることを特徴とする発汗量測定装置である。概略図を図１及び図２に示した。
図により説明すると、通信機能部は、無線通信部１によりデータ通信することで結果の評価をおこなうものであり、送風機能部はポンプ及びポンプ駆動電気部２により、送風管３、送風管出口側３−１、送風管出口近傍に挿入された乾燥剤３−２から構成される湿度センサー４により検知部を構成している。これらは電池配線５、電池５−１、湿度センサーへの配線６、湿度センサーへの入り口７、送付管出口８、渦巻き状溝による発汗捕集通路９から構成されている。
【手続補正書】
【提出日】平成28年10月21日(2016.10.21)
【手続補正１】
【補正対象書類名】実用新案登録請求の範囲
【補正対象項目名】全文
【補正方法】変更
【補正の内容】
【実用新案登録請求の範囲】
【請求項１】
身体に装着する発汗量測定装置であり、汗を捕集する肌に接した部分と、湿度による発汗の検知部と、送風機能部と、通信機能部とを有し、前記部分は渦巻き状溝を有し、当該渦巻き状溝の一端は前記送風機能部に連通し、他端は前記検知部に連通し、発汗は前記送風機能部からの送風により気化して水蒸気を含む気流となり、前記検知部に至り、前記検知部での検知結果は前記通信機能部により情報端末に送信されることを特徴とする発汗量測定装置。
【請求項２】
請求項１の身体に装着する発汗量測定装置であり、送風管中に乾燥剤を封入することを特徴とする発汗量測定装置。
【手続補正２】
【補正対象書類名】明細書
【補正対象項目名】０００５
【補正方法】変更
【補正の内容】
【０００５】  本考案は、ヒト皮膚表面の発汗量の連続測定できる非常に小型な発汗量測定装置に関するものであり、発汗量測定装置の基本構成は、湿度による発汗の検知部と、送風機能部と、電気配線および電源部と、通信機能部から成ることを特徴とする発汗量測定装置である。
発汗量を測定して、身体の動作、精神の動揺、身体の異常の信号として用いるものであり、身体に装着する発汗量測定装置であり、汗を捕集する肌に接した部分と、湿度による発汗の検知部と、送風機能部と、通信機能部とを有し、前記部分は渦巻き状溝を有し、当該渦巻き状溝の一端は前記送風機能部に連通し、他端は前記検知部に連通し、発汗は前記送風機能部からの送風により気化して水蒸気を含む気流となり、前記検知部に至り、前記検知部での検知結果は前記通信機能部により情報端末に送信されることを特徴とする発汗量測定装置である。
【手続補正３】
【補正対象書類名】明細書
【補正対象項目名】００１１
【補正方法】変更
【補正の内容】
【００１１】  その構成は発汗量測定装置であり、湿度による発汗の検知部と、送風機能部と、電気配線および電源部と、通信機能部から成ることを特徴とする発汗量測定装置である。概略図を図１及び図２に示した。
図により説明すると、通信機能部は、無線通信部１によりデータ通信することで結果の評価をおこなうものであり、送風機能部はポンプ及びポンプ駆動電気部２により、送風管３、送風管出口側３−１、送風管出口近傍に挿入された乾燥剤３−２から構成される湿度センサー４により検知部を構成している。これらは電池配線５、電池５−１、湿度センサーへの配線６、湿度センサーへの入り口７、送付管出口８、渦巻き状溝による発汗捕集通路９から構成されている。
これにより汗を捕集する肌に接した部分と、湿度による発汗の検知部と、送風機能部と、通信機能部とを有し、前記部分は渦巻き状溝を有し、当該渦巻き状溝の一端は前記送風機能部に連通し、他端は前記検知部に連通し、発汗は前記送風機能部からの送風により気化して水蒸気を含む気流となり、前記検知部に至り、前記検知部での検知結果は前記通信機能部により情報端末に送信されることを特徴とする発汗量測定装置が構成されている。